(57)【特許請求の範囲】
【請求項１】
非接触型ＩＣを保持する所有者が自動改札機を通過することを契機として、利用する移動手段情報とともに前記所有者の携帯電話の位置登録要求信号を、加入者位置登録管理を司るネットワーク構成装置へ送信する第１ステップと、
前記ネットワーク構成装置は、受信した移動手段情報をメモリに保存するとともに、当該加入者の位置登録要求を実施後に位置登録完了信号を返信する第２ステップと、
前記携帯電話の在圏位置変化の検知による位置登録要求に基づいて前記メモリに記録された当該加入者の移動手段情報から同乗する登録加入者数分の在圏位置更新を行うとともに、各位置登録情報の更新完了後に在圏位置更新を該当端末へ送信する第３ステップと、
前記非接触型ＩＣを保持する所有者が目的地の自動改札機を通過することを契機として、利用した移動手段情報とともに位置登録要求通知を、加入者位置登録管理を司る前記ネットワーク構成装置へ送信する第４ステップと、
前記メモリに保存されている移動手段情報を削除するとともに、当該加入者の位置登録を実施後に位置登録完了信号を返信する第５ステップと、
を含むことを特徴とする特定エリアの位置登録方法。
【請求項２】
前記第３ステップは、前記メモリに記録された更新フラグの状況に応じて在圏位置更新を行うステップを更に含むことを特徴とする請求項１記載の特定エリアの位置登録方法。
【請求項３】
前記第３ステップは、前記在圏位置更新をページング情報に設定することを特徴とする請求項１記載の特定エリアの位置登録方法。
【請求項４】
携帯電話に具備されている非接触型ＩＣを自動改札機にかざして入札することを契機として、利用する移動手段情報とともに位置登録要求信号を、加入者位置登録管理を司るネットワーク構成装置へ送信する手段と、
前記ネットワーク構成装置は、受信した移動手段情報をメモリに保存するとともに、当該加入者の位置登録要求を実施後に位置登録完了信号を返信する手段と、
前記携帯電話の在圏位置変化の検知による位置登録要求に基づいて前記メモリに記録された当該加入者の移動手段情報から同乗する登録加入者数分の在圏位置更新を行うとともに、各位置登録情報の更新完了後に在圏位置更新を該当端末へ送信する手段と、
前記携帯電話に具備されている非接触型ＩＣを自動改札機にかざして出札することを契機として、利用した移動手段情報とともに位置登録要求通知を、加入者位置登録管理を司る前記ネットワーク構成装置へ送信する手段と、
前記メモリに保存されている移動手段情報を削除するとともに、当該加入者の位置登録を実施後に位置登録完了信号を返信する手段と、
を備えたことを特徴とする位置登録装置。
【発明の詳細な説明】
【技術分野】
【０００１】
本発明は、特定エリアの主導位置登録方法および装置に関し、特に、同一移動手段で移動中の携帯電話に対して、ネットワーク主導で位置登録を変更させる特定エリアの位置登録方法および位置登録装置として用いると好適である。
【背景技術】
【０００２】
従来、移動端末の位置登録方法は、端末主導で行われている。すなわち、移動端末は、あらかじめ決められた位置エリアを跨いだ際に、移動端末の位置情報を管理する制御局に位置登録を要求している。
【０００３】
ところが、新幹線など、多数の乗客（携帯電話）が同じ方向へ同時に移動する場合、電波の受信状態もほぼ同時に変化するため、ある位置（エリア）を通過する場合に一斉に位置登録またはハンドオーバが発生し、ネットワークに過度な負荷がかかっていた。
【０００４】
これを回避するために、従来技術では、移動手段に設置されている中継機は、該移動手段内の移動通信端末が該中継機に属することをネットワーク側に登録し、報知情報の位置情報が変化すると、該移動通信端末に代わって位置登録をする発明が知られている。（例えば、引用文献１参照）
別の従来技術では、移動手段に設置されている中継機が、該移動手段内の複数の移動通信端末を取りまとめて位置通知を行う発明が知られている。（例えば、引用文献２参照）
更に、別の従来技術では、移動端末が交通機関に乗車すると、移動端末が搭乗している交通機関の運行情報データベースに基づいて、制御局が移動端末の位置登録エリアを変更するよう構成された発明が知られている。（例えば、引用文献３参照）
【特許文献１】特開２００６−１５７９５７号公報
【特許文献２】特開平０６−２４４７８０号公報
【特許文献３】特開２００４−１２９１１９号公報
【発明の開示】
【発明が解決しようとする課題】
【０００５】
しかしながら、従来技術（特許文献１および特許文献２）においては、移動手段（電車等）内に新たに中継機を設置する必要があり、別の従来技術（特許文献３）においても、移動手段（電車等）内に新たに交通機関識別番号通知装置を設置する必要があり、また、制御局には運行情報データベースを備える必要があった。そのため、それぞれの従来技術では、設置制約の面および設備費用の面より現実的ではなかった。
【０００６】
本発明は、近年急速に普及されつつある非接触ＩＣ技術搭載携帯電話（例えば、「おサイフケータイ」（登録商標））への適用を念頭に置くものであり、携帯電話を身に付けた乗客が、新幹線などの移動手段に乗車して移動する場合に、携帯電話からの過度な位置登録要求を軽減できる特定エリアの位置登録方法および装置を提供することを目的にする。
【課題を解決するための手段】
【０００７】
上記課題を解決するための第１の発明は、非接触型ＩＣを保持する所有者が自動改札機を通過することを契機として、利用する移動手段情報とともに前記所有者の携帯電話の位置登録要求信号を、加入者位置登録管理を司るネットワーク構成装置へ送信する第１ステップと、前記ネットワーク構成装置は、受信した移動手段情報をメモリに保存するとともに、当該加入者の位置登録要求を実施後に位置登録完了信号を返信する第２ステップと、前記携帯電話の在圏位置変化の検知による位置登録要求に基づいて前記メモリに記録された当該加入者の移動手段情報から同乗する登録加入者数分の在圏位置更新を行うとともに、各位置登録情報の更新完了後に在圏位置更新を該当端末へ送信する第３ステップと、前記非接触型ＩＣを保持する所有者が目的地の自動改札機を通過することを契機として、利用した移動手段情報とともに位置登録要求通知を、加入者位置登録管理を司る前記ネットワーク構成装置へ送信する第４ステップと、前記メモリに保存されている移動手段情報を削除するとともに、当該加入者の位置登録を実施後に位置登録完了信号を返信する第５ステップと、を含んでいる。
【０００８】
この第１の発明によれば、新幹線など、携帯電話を保有する多数の乗客が同じ方向へ同時に移動する場合、ある位置（エリア）を通過する場合に一斉に位置登録または、ハンドオーバが発生し、ネットワークに過度な負荷がかかるのを防止できるネットワーク主導による特定エリアの位置登録方法を提供できる。
【０００９】
第２の発明は、第１の発明に記載の特定エリアの位置登録方法において、前記第３ステップは、前記メモリに記録された更新フラグの状況に応じて在圏位置更新を行うステップを更に含んでいる。
【００１０】
この第２の発明によれば、該当する移動手段毎に登録されている他の携帯電話の位置情報が更新中であるのを把握できるので、位置登録処理の重複処理を防ぐことができる。
【００１１】
第３の発明は、第１の発明に記載の特定エリアの位置登録方法において、前記第３ステップは、前記在圏位置更新をページング情報に設定する。
【００１２】
この第３の発明によれば、既存のページング情報に在圏位置更新を新たに追加するだけで該当する端末に対して呼び出し信号を容易に送信でき、端末内の位置情報を更新できる。
【００１３】
第４の発明は、携帯電話に具備されている非接触型ＩＣを自動改札機にかざして入札することを契機として、利用する移動手段情報とともに位置登録要求信号を、加入者位置登録管理を司るネットワーク構成装置へ送信する手段と、前記ネットワーク構成装置は、受信した移動手段情報をメモリに保存するとともに、当該加入者の位置登録要求を実施後に位置登録完了信号を返信する手段と、前記携帯電話の在圏位置変化の検知による位置登録要求に基づいて前記メモリに記録された当該加入者の移動手段情報から同乗する登録加入者数分の在圏位置更新を行うとともに、各位置登録情報の更新完了後に在圏位置更新を該当端末へ送信する手段と、前記携帯電話に具備されている非接触型ＩＣを自動改札機にかざして出札することを契機として、利用した移動手段情報とともに位置登録要求通知を、加入者位置登録管理を司る前記ネットワーク構成装置へ送信する手段と、前記メモリに保存されている移動手段情報を削除するとともに、当該加入者の位置登録を実施後に位置登録完了信号を返信する手段と、を備える。
【００１４】
この第４の発明によれば、新幹線など、携帯電話を保有する多数の乗客が同じ方向へ同時に移動する場合、ある位置（エリア）を通過する場合に一斉に位置登録または、ハンドオーバが発生し、ネットワークに過度な負荷がかかるのを防止できる位置登録装置を提供できる。
【発明の効果】
【００１５】
以上、本発明の特定エリアの位置登録方法および装置によれば、自動改札機に携帯電話の非接触型ＩＣをかざして通過した時に、乗車車両の情報を容易に携帯電話ネットワークの制御局に通知することができ、鉄道会社内ネットワークの自動改札機制御装置は乗車車両ごとに登録情報を管理でき、携帯電話ネットワークの制御局は、同一移動手段で移動中の携帯電話に対して、ネットワーク主導で位置更新を行うことが可能となる。
【発明を実施するための最良の形態】
【００１６】
以下、本発明の実施の形態について、図を参照しながら説明する。
【００１７】
図１は、一般的な携帯電話通信システムのネットワーク構成図である。同図において、１はＨＬＲ（Home Location Register）であり、加入者に関するサービス情報が記憶される。２１,２２はＳＧＳＮ（Serving GPRS Support Node）であり、ＧＰＲＳ環境で無線アクセス・ネットワーク側と接続するために提供されているノードである。３１〜３３はＲＮＣ（Radio Network Controller）であり、複数のＢＴＳを管理する無線ネットワーク制御装置である。４１〜４５はＢＴＳ（Base Transceiver Station）であり、携帯電話の信号は無線基地局に接続され、そこで無線を管理・変換する無線基地局装置である。５１〜５９はセル＃１〜セル＃９であり、無線基地局から電波が届いて通信できる範囲を「ゾーン」と呼び、「ゾーン」の小規模なものをいう。６１,６２は端末Ａ，端末Ｂであり、同一移動手段に同乗して位置登録エリアを移動する様子を示す。
【００１８】
図２は、本発明の一実施形態におけるＳＧＳＮ（Serving GPRS Support Node）のブロック構成図である。ＳＧＳＮ２は、管理するサービスエリア内のパケットルーティング機能を持っていて、呼処理部２１、位置登録部２２および信号送受信部２３から構成される。位置登録部２２は、異なる加入者識別子対応に移動手段に乗車しているか否かを示す移動手段情報を記憶する加入者情報管理テーブル２４と、位置登録手段毎に登録携帯電話情報を管理する移動手段情報管理テーブル２５を具備している。
【００１９】
図３は、本発明の一実施形態における加入者登録テーブルの構成図であり（ａ）加入者情報管理テーブル、（ｂ）移動手段情報管理テーブルを示す。
【００２０】
（ａ）加入者情報管理テーブルにおいて、各携帯電話の加入者識別子1〜ｎ対応に移動手段情報が設定される。同図において、０は設定なし、１は新幹線、２はＪＲを示す。
【００２１】
（ｂ）移動手段情報管理テーブルにおいて、移動手段1（新幹線）は、更新中フラグはＯＮであり、加入者識別子１、加入者識別子３、加入者識別子１０・・・の各携帯電話の加入者が同一新幹線に同乗して位置登録更新中の状態を示す。移動手段２（ＪＲ）は、更新中フラグはＯＦＦであり、加入者識別子４、加入者識別子７、加入者識別子１５・・・の各携帯電話の加入者が同一ＪＲに同乗しているが位置登録を更新していない状態を示す。移動手段ｎは、更新中フラグはＯＦＦであり、加入者識別子６、加入者識別子２０、加入者識別子２５・・・の各携帯電話の加入者がその他の同一移動手段に同乗しているが位置登録は更新していない状態を示す。
【００２２】
図４は、本発明の一実施形態における移動前の位置登録シーケンス図である。以下に位置登録に移動手段情報（新幹線など）を設定する手順を図４にしたがって説明する。
【００２３】
Ｓ１. 端末Ａは、携帯電話に具備されている非接触型ＩＣを自動改札機にかざして入札することを契機として、位置登録要求をＲＮＣ３へ送信する。その際に、移動手段情報（新幹線など）を設定して通知する。
【００２４】
Ｓ２．ＲＮＣ３は、端末Ａからの位置登録要求（移動手段情報）をＳＧＳＮ２へ送信する。
【００２５】
Ｓ３．位置登録要求を受信したＳＧＳＮ２は、位置登録処理（既存処理）を開始し、位置登録要求メッセージ内に移動手段情報が設定されているか否かを確認する。
【００２６】
Ｓ４．移動手段情報が設定されている場合、移動手段毎の管理テーブルに携帯電話情報を保存する。
【００２７】
Ｓ５．ＳＧＳＮ２は、移動手段毎の移動手段情報管理テーブル２５に保存された携帯電話情報に基づき、ＨＬＲ１に対して位置登録要求を行う。
【００２８】
Ｓ６．ＨＬＲ１は、ＳＧＳＮ２からの移動手段情報管理テーブル２５の情報に基づいて端末Ａの位置登録を実行し、位置登録完了信号をＳＧＳＮ２に送信する。
【００２９】
Ｓ７．ＳＧＳＮ２は、ＲＮＣ３に対して位置登録完了信号を送信する。
【００３０】
Ｓ８．ＲＮＣ３は、端末Ａに対して位置登録完了信号を送信する。
【００３１】
図５は、本発明の一実施形態における移動中の位置登録シーケンス図である。以下に在圏位置変化を検知する手順を図５にしたがって説明する。
【００３２】
Ｓ９. 端末Ａは、報知情報の位置情報が変化したとき、位置登録要求をＲＮＣ３へ送信する。（既存処理）
Ｓ１０．ＲＮＣ３は、端末Ａからの位置登録要求（移動手段情報）をＳＧＳＮ２へ送信する。
【００３３】
Ｓ１１．位置登録要求を受信したＳＧＳＮ２は、移動手段毎の移動手段情報管理テーブル２５に携帯電話情報が登録されているか否かを確認する。
【００３４】
Ｓ１２．Ｓ１１にて、移動手段毎の移動手段情報管理テーブル２５に携帯電話情報が登録されていない場合、ＳＧＳＮ２は、通常の位置登録処理を実施し、ＨＬＲ１に対して位置登録要求を行う。
【００３５】
Ｓ１３．ＨＬＲ１は、位置登録処理を実施した後に、位置登録完了信号をＳＧＳＮ２へ返信する。
【００３６】
Ｓ１４．ＳＧＳＮ２は、ＲＮＣ３に対して位置登録完了信号を返信する。
【００３７】
Ｓ１５．ＲＮＣ３は、端末Ａに対して位置登録完了信号を返信する。
【００３８】
Ｓ１６．Ｓ１１にて、移動手段毎の移動手段情報管理テーブル２５に携帯電話情報が登録されている場合、更新中フラグがＯＦＦか否かを確認する。
【００３９】
Ｓ１７．Ｓ１６にて、更新中フラグがＯＦＦの場合は、更新中フラグをＯＮに更新する。
【００４０】
Ｓ１８．更新中フラグをＯＮに更新した該当の移動手段情報管理テーブル２５より他の登録加入者（携帯電話）を読出す。
【００４１】
Ｓ１９．該当の移動手段情報管理テーブル２５に登録されている全ての登録加入者数分の携帯電話の位置情報更新を実施する。
【００４２】
Ｓ２０．ＳＧＳＮ２は、ＨＬＲ１に対し位置登録要求を送信する。
【００４３】
Ｓ２１. ＨＬＲ１は、位置登録処理を実施した後に、位置登録完了信号をＳＧＳＮ２へ返信する。
【００４４】
Ｓ２２. ＳＧＳＮ２は、位置登録情報の更新完了後、ページング呼び出し情報として在圏位置更新を作成する。ページング呼び出し情報には、既存のものとして、統計ページング、一斉ページングなどの呼び出し形態があり、本発明では在圏位置更新ページング機能を新たに設ける。
【００４５】
Ｓ２３．ＳＧＳＮ２は、ページング(在圏位置更新)をＲＮＣ３へ送信する。
【００４６】
Ｓ２４．ＲＮＣ３は、ページング(在圏位置更新)を端末Ｂへ送信する。
【００４７】
Ｓ２５．ページング(在圏位置更新)を受信した端末Ｂは、端末Ｂ内の位置情報を更新する。
【００４８】
Ｓ２６．該当の移動手段情報管理テーブルに登録されている全ての登録加入者（携帯電話）の位置情報の更新が終了すると、移動手段毎の移動手段情報管理テーブル２６の更新フラグをＯＦＦに設定する。
【００４９】
Ｓ２７．Ｓ１６にて、更新中フラグがＯＦＦでなくＯＮの場合は、位置登録要求を破棄する。
【００５０】
図６は、本発明の一実施形態における移動後の位置登録シーケンス図である。以下に位置登録に移動手段情報をなしに設定する手順を図６にしたがって説明する。
【００５１】
Ｓ２８. 端末Ａは、携帯電話に具備されている非接触型ＩＣを自動改札機にかざして退場する。移動手段情報を予め通知していた場合は、退場を契機に位置登録要求をＲＮＣ３へ送信する。
【００５２】
Ｓ２９．ＲＮＣ３は、端末Ａからの位置登録要求（移動手段情報）をＳＧＳＮ２へ送信する。
【００５３】
Ｓ３０. ＳＧＳＮ２は、加入者情報管理テーブル２４の該当携帯電話情報の移動手段情報を設定なしに更新する。
【００５４】
Ｓ３１．ＳＧＳＮ２は、移動手段情報管理テーブル２５から該当携帯電話情報を削除する。
【００５５】
Ｓ３２．ＳＧＳＮ２は、ＨＬＲ１に対して位置登録要求を行う。
【００５６】
Ｓ３３．ＨＬＲ１は、端末Ａの位置登録を実行し、位置登録完了信号をＳＧＳＮ２に送信する。
【００５７】
Ｓ３４．ＳＧＳＮ２は、ＲＮＣ３に対して位置登録完了信号を送信する。
【００５８】
Ｓ３５．ＲＮＣ３は、端末Ａに対して位置登録完了信号を送信する。
【００５９】
以上の実施例を含む実施形態に関し、更に以下の付記を開示する。
（付記１）  非接触型ＩＣを保持する所有者が自動改札機を通過することを契機として、利用する移動手段情報とともに前記所有者の携帯電話の位置登録要求信号を、加入者位置登録管理を司るネットワーク構成装置へ送信する第１ステップと、前記ネットワーク構成装置は、受信した移動手段情報をメモリに保存するとともに、当該加入者の位置登録要求を実施後に位置登録完了信号を返信する第２ステップと、前記携帯電話の在圏位置変化の検知による位置登録要求に基づいて前記メモリに記録された当該加入者の移動手段情報から同乗する登録加入者数分の在圏位置更新を行うとともに、各位置登録情報の更新完了後に在圏位置更新を該当端末へ送信する第３ステップと、前記非接触型ＩＣを保持する所有者が目的地の自動改札機を通過することを契機として、利用した移動手段情報とともに位置登録要求通知を、加入者位置登録管理を司る前記ネットワーク構成装置へ送信する第４ステップと、前記メモリに保存されている移動手段情報を削除するとともに、当該加入者の位置登録を実施後に位置登録完了信号を返信する第５ステップと、を含むことを特徴とする特定エリアの位置登録方法。
（付記２）  前記第３ステップは、前記メモリに記録された更新フラグの状況に応じて在圏位置更新を行うステップを更に含むことを特徴とする付記１記載の特定エリアの位置登録方法。
（付記３）  前記第３ステップは、前記在圏位置更新をページング情報に設定することを特徴とする付記１記載の特定エリアの位置登録方法。
（付記４）  携帯電話に具備されている非接触型ＩＣを自動改札機にかざして入札することを契機として、利用する移動手段情報とともに位置登録要求信号を、加入者位置登録管理を司るネットワーク構成装置へ送信する手段と、前記ネットワーク構成装置は、受信した移動手段情報をメモリに保存するとともに、当該加入者の位置登録要求を実施後に位置登録完了信号を返信する手段と、前記携帯電話の在圏位置変化の検知による位置登録要求に基づいて前記メモリに記録された当該加入者の移動手段情報から同乗する登録加入者数分の在圏位置更新を行うとともに、各位置登録情報の更新完了後に在圏位置更新を該当端末へ送信する手段と、前記携帯電話に具備されている非接触型ＩＣを自動改札機にかざして出札することを契機として、利用した移動手段情報とともに位置登録要求通知を、加入者位置登録管理を司る前記ネットワーク構成装置へ送信する手段と、前記メモリに保存されている移動手段情報を削除するとともに、当該加入者の位置登録を実施後に位置登録完了信号を返信する手段と、
を備えたことを特徴とする位置登録装置。
（付記５）  前記ネットワーク構成装置は、サービングＧＰＲＳサポートノード（ＳＧＳＮ）であることを特徴とする付記４記載の位置登録装置。
（付記６）  前記メモリは、各携帯電話の加入者識別子対応に移動手段情報が設定される加入者情報管理テーブルと、移動手段毎に更新中フラグ情報と当該移動手段に同乗する加入者識別子が設定される移動手段情報管理テーブルと、から構成されることを特徴とする付記４記載の位置登録装置。
（付記７）  前記メモリに記録された更新フラグの状況に応じて在圏位置更新を行う手段を更に備えたことを特徴とする付記４記載の位置登録装置。
（付記８）  前記在圏位置更新をページング情報に設定することを特徴とする付記４記載の位置登録装置。
【産業上の利用可能性】
【００６０】
本発明は、「おサイフケータイ」（登録商標）に代表される非接触ＩＣ技術搭載携帯電話を身に付けた乗客が、新幹線などの移動手段に乗車して特定エリアを移動する場合に、ネットワーク主導で位置変更をさせる機能をＳＧＳＮに具備することができる。そのため、携帯電話からの過度な位置登録要求が軽減でき、携帯電話に対してＳＧＳＮ主導で在圏位置を更新する処理方法において、利用できる。
【図面の簡単な説明】
【００６１】
【図１】一般的な携帯電話通信システムのネットワーク構成図である。
【図２】本発明の一実施形態におけるＳＧＳＮのブロック構成図である。
【図３】本発明の一実施形態における加入者登録テーブルの構成図である。
【図４】本発明の一実施形態における移動前の位置登録シーケンス図である。
【図５】本発明の一実施形態における移動中の位置登録シーケンス図である。
【図６】本発明の一実施形態における移動後の位置登録シーケンス図である。
【符号の説明】
【００６２】
１    ホームロケーションレジスタ（ＨＬＲ）  
２    サービングＧＰＲＳサポートノード（ＳＧＳＮ）
２１    呼処理部
２２    位置登録部
２３    信号送受信部
２４    加入者情報管理テーブル
２５    移動手段情報管理テーブル
３    無線ネットワーク制御装置（ＲＮＣ）
４    無線基地局装置（ＢＴＳ）
５    セル＃1〜セル＃９
６１，６２      端末Ａ、端末Ｂ 
【図１】
0005029317.tif 000002
【図２】
0005029317.tif 000003
【図３】
0005029317.tif 000004
【図４】
0005029317.tif 000005
【図５】
0005029317.tif 000006
【図６】
0005029317.tif 000007